(57)【要約】【課題】発注者個々に異なる嗜好に応じたケーキを受注することができるとともに、その仕上がり状態を福笑い的に確認することができるオンラインケーキ受注システム、及び、オンラインケーキ受注方法を提供すること。【解決手段】発注者がネットワーク５０を介してアクセス可能なサーバコンピュータ１０から構成され、オンラインにてケーキを受注するシステムであって、ケーキのトッピングを選択する画面上において、ケーキの出来上がりの状態を確認しつつトッピングの種類と個数と配置を発注者が所望に決定できるように、初期状態において、トッピングを施す前のケーキ画像、及び発注者が選択できるトッピングの種類を示す画像を表示し、発注者がトッピングの種類を選択した後において、そのトッピングを発注者が移動させてケーキ画像上の所望の位置に配置した状態を示す画像を表示するようにされていることを特徴としている。【選択図】  図１
2004234439.tif 000002
【特許請求の範囲】
【請求項１】
発注者側端末と電気通信回線を介して接続可能な受注者側端末により構成され、発注者側よりオンラインを介してケーキを受注するシステムにおいて、
トッピングが施される前のケーキ画像および複数種のトッピング画像を発注者側装置において表示させるためのトッピング前表示手段と、
該トッピング前表示手段により表示されたトッピング画像の中、発注者側装置のポインティングデバイスによりトッピング画像が選択されるとともにケーキ画像上の所望位置に移動されることにより、トッピング画像の配置された状態のケーキ画像を表示するトッピング後表示手段とを備えており、
該トッピング後表示手段は、最終的に発注者の所望する独自仕様のケーキを受注可能とするために、発注者側装置においてトッピングの選択および移動が所望の回数繰り返された場合、トッピング画像をケーキ画像上に福笑い的に表示することを特徴とするオンラインケーキ受注システム。
【請求項２】
ケーキの大きさ、クリームの種類、又はケーキのスポンジ内部に挟込むフルーツその他のケーキ基本情報を選択させるためのケーキ基本情報選択画像を発注者側端末に表示させるケーキ選択画像表示手段を備えており、
トッピング前表示手段およびトッピング後表示手段は、ケーキ基本情報選択手段により表示されたケーキ基本情報より選択されたケーキ基本情報に基づいて、ケーキ画像を表示させることを特徴とする請求項１記載のオンラインケーキ受注システム。
【請求項３】
発注者端末においてケーキに添付するカード若しくは板チョコ又はケーキ自体に記入する文字、図形その他の文字等情報が入力された場合に、その文字等情報をケーキ画像とともに発注者側装置において表示させる文字等情報表示手段を備えていることを特徴とする請求項１又は２に記載のオンラインケーキ受注システム。
【請求項４】
発注者側端末において選択されたトッピングの種類および個数、ならびにケーキの大きさその他のケーキ情報に応じた価格を演算し、発注者側端末に表示させるケーキ価格表示手段を備えていることを特徴とする請求項１から３の何れかに記載のオンラインケーキ受注システム。
【請求項５】
ケーキ価格表示手段は、ケーキ情報が選択されると、その選択に対応するケーキ画像とともに、価格を表示させることを特徴とする請求項４記載のオンラインケーキ受注システム。
【請求項６】
トッピング後のケーキ画像を発注者側端末において三次元的に表示させる三次元画像表示手段を備えており、
該三次元表示手段は、発注者側端末からの入力操作によりケーキ画像を回転可能とされていることを特徴とする請求項１から５の何れかに記載のオンラインケーキ受注システム。
【請求項７】
三次元画像表示手段により三次元的に表示されたケーキ画像に対して、発注者側端末におけるポインティングデバイスの操作により、トッピング画像の位置の修正、又は、入力済みの文字等情報の修正若しくは新たな記入を可能とする修正手段を備えていることを特徴とする請求項１から６の何れかに記載のオンラインケーキ受注システム。
【発明の詳細な説明】
【０００１】
【発明の属する技術分野】
本発明は、インターネットなどのネットワークを介してケーキのトッピングを自由に決定して発注できる受注システムおよびその受注方法に関するものであって、特に、発注者が自由に選択したトッピングを実際にケーキ上に配置した状態を予め確認しながらその配置や個数を決定できるようにした受注システムおよびその受注方法に関する。
【０００２】
【従来技術】
従来、オンラインによる生菓子類発注システムとして、「Ｗｅｂ画面に表示された多数の商品モデルから自分の好みの台、飾り、プレートを選択し、さらに付属品やメッセージを指定したオリジナル商品を発注し、指定した近郊の製造拠点で製造し、新鮮な状態で配達が可能なシステム」が知られている（特許文献１参照）。
【０００３】
【特許文献１】
特開２００２−１５７４７１号公報
【０００４】
【発明が解決しようとする課題】
【０００５】
しかしながら、かかる従来のシステムにおいては、発注者が形状、味、飾り等を選択できるものの、仕上がりの状態を確認することができないといった問題や、注文の受付が事務的であるため、注文の際の楽しさに欠けるという問題点があった。
【０００６】
そこで案出されたのが本発明であって、その目的とするところは、発注者個々に異なる嗜好に応じたケーキを受注することができるとともに、その仕上がり状態を福笑い的に確認することができるオンラインケーキ受注システム、及び、オンラインケーキ受注方法に関する。
【０００７】
【課題を解決するための手段】
この目的を達成するために請求項１記載のオンラインケーキ受注システムは、発注者側端末と電気通信回線を介して接続可能な受注者側端末により構成されており、トッピングが施される前のケーキ画像および複数種のトッピング画像を発注者側装置において表示させるためのトッピング前表示手段と、該トッピング前表示手段により表示されたトッピング画像の中、発注者側装置のポインティングデバイスによりトッピング画像が選択されるとともにケーキ画像上の所望位置に移動された場合に、トッピング画像の配置された状態のケーキ画像を表示するトッピング後表示手段とを備えており、該トッピング後表示手段は、最終的に発注者の所望する独自仕様のケーキを受注可能とするために、発注者側装置においてトッピングの選択および移動が所望の回数繰り返されることにより、トッピング画像をケーキ画像上に福笑い的に表示するものである。
請求項２記載のオンラインケーキ受注システムは、請求項１記載のオンラインケーキ受注システムにおいて、ケーキの大きさ、クリームの種類、又はケーキのスポンジ内部に挟込むフルーツその他のケーキ基本情報を選択させるためのケーキ基本情報選択画像を発注者側端末に表示させるケーキ選択画像表示手段を備えており、トッピング前表示手段およびトッピング後表示手段は、ケーキ基本情報選択手段により表示されたケーキ基本情報より選択されたケーキ基本情報に基づいて、ケーキ画像を表示させるものである。
請求項３記載のオンラインケーキ受注システムは、請求項１又は２に記載のオンラインケーキ受注システムにおいて、発注者端末においてケーキに添付するカード若しくは板チョコ又はケーキ自体に記入する文字、図形その他の文字等情報が入力された場合に、その文字等情報をケーキ画像とともに発注者側装置において表示させる文字等情報表示手段を備えている。
請求項４記載のオンラインケーキ受注システムは、請求項１から３の何れかに記載のオンラインケーキ受注システムにおいて、発注者側装置において選択されたトッピングの種類および個数、ならびにケーキの大きさその他のケーキ情報に応じた価格を演算し、発注者側端末に表示させるケーキ価格表示手段を備えている。
請求項５記載のオンラインケーキ受注システムは、請求項４記載のオンラインケーキ受注システムにおいて、ケーキ価格表示手段は、ケーキ情報が選択されると、その選択に対応するケーキ画像とともに、価格を表示させるものである。
請求項６記載のオンラインケーキ受注システムは、請求項１から５の何れかに記載のオンラインケーキ受注システムにおいて、トッピング後のケーキ画像を発注者側端末において三次元的に表示させる三次元画像表示手段を備えており、該三次元表示手段は、発注者側端末からの入力操作によりケーキ画像を回転可能とされている。
請求項７記載のオンラインケーキ受注システムは、請求項１から６の何れかに記載のオンラインケーキ受注システムにおいて、三次元画像表示手段により三次元的に表示されたケーキ画像に対して、発注者側端末におけるポインティングデバイスの操作により、トッピング画像の位置の修正、又は、入力済みの文字等情報の修正若しくは新たな記入を可能とする修正手段を備えている。
【０００８】
【発明の実施の形態】
本発明のケーキの受注システムは、発注者が端末を操作することにより電気通信回線（例えばインターネット等のネットワーク、専用回線であっても良い）を介してアクセス可能な受注者側端末（サーバコンピュータ）により構成され、オンラインにてケーキを受注するシステムである。
そして、このサーバにアクセスした発注者側端末（具体例としては、パーソナルコンピュータ、モバイルその他の携帯情報端末、携帯電話等が挙げられる。）の表示画面には、ケーキの大きさ、クリームの種類及びスポンジ内部にサンドするフルーツを選択する画面が表示されるようにプログラムされている。
次に、かかる画面による選択を終えた発注者側端末の表示画面には、トッピングを施す前のケーキ画像、及び発注者が選択できる複数種のトッピング画像と、が表示されるようにプログラムされている。
かかる端末表示画面上においては、発注者が所望の種類のトッピング画像をポインティングデバイスによりドラッグする等によって選択可能とされており、その選択したトッピングをケーキ画像上へ移動させて所望の場所でドロップすること等によって配置を決定できるとともに、そのトッピングがケーキ上に配置された状態を発注者側端末の表示画面上に表示するようにプログラムされている。
従って、発注者は、その端末表示画面上に表示される画像により、ケーキの出来上がりの状態を確認しつつトッピングの種類と個数と配置を発注者が所望の状態に決定できる。かかる作業は、「福笑い」を行うようにゲーム感覚で楽しく行うことができる。
さらに、本発明のケーキの受注システムを構成するサーバーにおいては、発注者側端末の表示画面上に、トッピングに加えて、ケーキの所望の位置又はケーキに添付するカードやチョコレート板、あるいはケーキ本体に直に記入するために、発注者が端末を介して入力した文字又は図形をさらに表示するようにプログラムされている。
好適実施形態においては、かかる文字又は図形をトッピングと同様にケーキ上の所望の位置に移動させて表示するようにプログラムされている。
また、他の好適実施形態においては、発注者のケーキ選択情報（具体例としては、ケーキの大きさ若しくは段数、クリームの種類、スポンジ内部に挟込むトッピングの数もしくは種類、ケーキ上に載置されるトッピングの数若しくは種類、ホイップの種類、ローソクの数が挙げられる。）に応じた価格がその選択に対応するケーキ画像とともに表示するようにプログラムされている。
更に、他の好適実施形態においては、トッピング等が終了した後のケーキ画像を発注者側装置の表示画面に三次元的に表示するようにプログラムされている。
更に、他の好適実施形態においては、三次元的に表示されたケーキ画像は、発注者側端末からの指令信号（カーソル押下操作やポインティングデバイス操作）を受信することにより、または指令信号を受信することなく自動的に回転するようにプログラムされている。
更に、他の好適実施形態においては、三次元的に表示された状態で、トッピング画像の位置や種類、文字等情報の修正操作が為されたり、新たなトッピングを配置や文字等情報を入力操作が為されると、その操作に対応したケーキ画像が発注者側端末に表示するようにプログラムされている。
更に、他の好適実施形態においては、選択されたトッピング画像を所望角度に回転できるようにプログラムされている。
最後に、発注者側端末の表示画面上には、発注者の住所、氏名、電話番号、電子メールアドレス、配達希望日時を入力する画面が表示されるようにプログラムされており、これらのデータを入力することで、発注者が希望する独自仕様のケーキを注文できるようにプログラムされている。
【０００９】
以下、図１から図９を参照して、本発明の好ましい実施例について説明する。勿論、下記実施例は、本発明の好ましい実施例を示すに過ぎず、本発明の技術的範囲は、下記実施例そのものに何ら限定されるものではない。
【００１０】
（実施例）
図１に示すように、本発明のオンラインケーキ受注システムは、発注者（顧客）側ＰＣ２０（発注者Ａ側ＰＣ２１や、発注者Ｂ側ＰＣ２２、発注者Ｃ側ＰＣ２３等）および生産者側ＰＣ３０に対しネットワーク５０を介して接続された受注者側ＰＣ１０によって構成されている。
【００１１】
発注者側ＰＣ２０のうち、例えば発注者Ａ側ＰＣ２１よりネットワーク５０を介して受注者側ＰＣ１０の所定のホームページにアクセスされると、まず、図２に示すように、発注者Ａ側ＰＣ（端末）２１に設けられた表示装置２１ａの画面（表示画面）２１ｂ上に、ケーキの台を決定する画像が表示される。
【００１２】
かかる表示画面２１ｂ上においては、ケーキの大きさが、５号（直径約１５ｃｍ）、６号（直径約１８ｃｍ）又は７号（直径約２１ｃｍ）の中から選択される。次いで、クリームの種類が、白又はチョコレートから選択される。さらに、サンドされるフルーツが、イチゴのスライス、黄桃又はなしの中から選択される。これらの選択は、発注者が表示画面２１ｂ上のボタンをクリックすることで行うことができるのである。ここで、ＨＴＭＬを利用した技術は周知技術であるので、詳細な説明は割愛する。
【００１３】
次に、発注者が表示画面２１ｂ上の「次のステップ（トッピング）に進む」がクリックされると、図３に示すように、トッピングを施す前のケーキ画像１０１、発注者が選択できる複数種（イチゴのスライス、みかん、パイナップル、メロン、黄桃）のトッピング画像１０２が表示される。ここで、ケーキ画像１０１は、図２で入力されたケーキの大きさ、ホイップの種類に応じた色の画像とされることが好ましい。
【００１４】
図３において表示される、トッピング画像１０２は、実際のケーキの大きさと対応する大きさで、かつ、適宜の形状にカットされた状態にて複数表示されるようになっている。この複数表示されるトッピング画像１０２は、向き（角度）が異なるように表示されている。
【００１５】
図４に示すように、発注者Ａ側ＰＣ２１の表示画面２１ｂ上においては、発注者のポインティングデバイス１０３によりドラッグ操作により所望のトッピングを選択可能とされている。その選択されたトッピングをケーキ画像１０１上へ移動されて所望の場所でのドロップ操作により配置を決定されると、そのトッピング画像がケーキ画像１０１とともに表示装置２１ａに表示される。さらに、かかる表示画面２１ｂ上においては、ケーキに添付される板状のチョコレート（板チョコ）の上に記載されるべき文字を入力する文字等情報入力欄１０４が表示される。
【００１６】
次に、発注者が表示画面２１ｂ上の「次のステップに進む」をクリックすると、図４に示すように、発注者の住所、氏名、電話番号、電子メールアドレス、配達希望日時を入力する表示画面２１ｂが表示されるようにプログラムされている。これらのデータを入力すると、全てのデータ（勿論、ケーキの選択情報も含む。）がサーバ装置である受注者側ＰＣ１０に記録され、発注者が希望する独自仕様のケーキの受注が完了する。ケーキ受注の完了後、受注者側ＰＣ１０より生産者（工場）側ＰＣ３０へデータが送信されるのである。ここで、発注者の表示画面２１ｂには、注文を受け付けた旨の確認と、注文に対する感謝の挨拶文・画像などが表示されるようにされると好ましい。勿論、サーバ装置が受注者側ＰＣ１０でなくても、他の場所に設置された端末であっても良い。
【００１７】
次に、図６から図８を参照して、上記実施例（第１実施例）とは異なる他の実施例（第２実施例から第４実施例）について説明する。ここで、第１実施例と同一の部分の説明については省略し、異なる部分に重点をおいて説明する。
【００１８】
図６は、第２実施例のオンラインケーキ受注システムにおける発注者Ａ側ＰＣ２１の表示画面（発注者情報入力画面）を示す図である。
第２実施例のオンラインケーキ受注システムにおいては、発注者側においてケーキ画像１０１上のトッピング画像１０２が配置された場合には、金額表示欄１０５に、選択されたケーキの種類、並びにそれまで配置されたトッピング画像１０２の種類及び数に応じた金額が表示するようにされている。従って、発注者側は、予算と相談しながら安心してケーキを発注することができるのである。この予算の表示は、ケーキの大きさや色を選択する段階において行うようにしても良い。
【００１９】
図７は、第３実施例のオンラインケーキ受注システムにおける発注者側ＰＣ２０の表示画面（選択後修正入力画面）を示す図である。第３実施例のオンラインケーキ受注システムは、発注者側においてケーキのトッピングの配置等が終了した場合に（図４に示す段階と図５に示す段階との間の段階において）、発注者側の選択操作に応じたケーキ画像１０１ａを三次元的に表示するようにされている。三次元的に表示されたケーキ画像１０１ａに載置されているトッピング画像１０２ａ等は、トッピング位置修正ポインティングデバイス１０３ａによる操作により位置が修正可能とされている。同様に、文字等情報修正・入力ポインティングデバイス１０３ｂにより文字等も入力（修正）可能とされている。このとき、ケーキ画像１０１ａが発注者側端末２０からの操作により所望角度分、回転可能とされていても良い。
【００２０】
図８は、第４実施例のオンラインケーキ受注システムにおける発注者側ＰＣ２０の表示画面（トッピング選択画面）を示す図である。第４実施例のオンラインケーキ受注システムは、ケーキ画像１０１ａの上に載置されるトッピング画像１０２個々の角度（向き）を所望の角度に変更可能とされているものである。このトッピング画像１０２個々の角度変更方式は、図８に示すように、表示画面２１ｂ上に所定の回転ゾーン１０５を表示するようにし、その回転ゾーン１０５にトッピング画像１０２を移動しポインティングデバイス１０３の操作により回転する方式とされている。これにより、表示画面２１ｂ上に複数の角度分のトッピング画像１０２ａを予め提供しておかなくても良く、表示画面２１ｂ上により多くの種類のトッピング画像１０２を提供することにより福笑い的な要素を高めることができるとともに、発注者のより好みに応じたケーキを受注することが可能となる。
【００２１】
以上実施例に基づき本発明を説明したが、上記実施例は、本発明の主旨を逸脱しない範囲内で種々の改良変形をすることが可能であり、本発明の技術的範囲には、それらの改良変形も含まれる。
【００２２】
例えば、上記実施例においては、トッピング画像１０２が移動された後も、待機場所には、トッピング画像１０２が残るようにされている。しかしながら、図９に示すように、同一のトッピング画像１０２を複数提供し、トッピング画像１０２が移動された場合には、待機場所に残らないようにしても良い。
【００２３】
また、上記実施例においては、トッピング画像１０２の角度回転方式が、回転ゾーン１０５内でのポインティングデバイスの円弧運動によるものとされている。しかしながら、勿論、回転ゾーン１０５内での回転に限定されるものではないし、ポインティングデバイスの円弧運動による回転に限定されるものではない。例えば、ポインティングデバイス１０３の適宜回数分のクリック操作により待機状態（移動前の状態）において、選択されたトッピング画像１０２が所望の角度まで回転する方式であっても良いし（一回分のクリック操作による回転角度が既定されている場合等）、キーボード装置（図示せず）等の入力装置を介した所望の角度を入力することにより選択されたトッピング画像１０２を回転する方式であっても良い。
【００２４】
なお、本発明には、以下の発明が含まれる。
発注者側端末と電気通信回線を介して接続可能な受注者側端末によって構成され、発注者側よりオンラインを介してケーキを受注するシステムにおいて、発注者が発注者側端末の表示画面によりケーキの出来上がりの状態を確認しつつトッピングの種類と個数と配置を所望に決定できるように、初期状態において、トッピングを施す前のケーキ画像、及び発注者が選択可能な複数種のトッピング画像を表示し、発注者によりトッピングが選択されるとともに、ケーキ画像上の所望の位置に移動された場合に、その移動後の状態を示す画像を表示するようにされており、最終的に発注者が希望する独自仕様のケーキを注文するようにされていることを特徴とするオンラインケーキ受注システム（Ａ）。
発注者がネットワークを介してアクセス可能なサーバコンピュータから構成されており、ケーキの大きさ、クリームの種類又は内部にサンドするフルーツを選択する画面を有し、さらに、ケーキのトッピングを選択する画面上において、ケーキの出来上がりの状態を確認しつつトッピングの種類と個数と配置を発注者が所望に決定できるように、初期状態において、トッピングを施す前のケーキ画像、発注者が選択できるトッピングの種類を示す画像と、を表示し、発注者がトッピングの種類を選択した後において、そのトッピングを発注者が移動させてケーキ画像上の所望の位置に配置した状態を示す画像を表示し、最終的に発注者が希望する独自仕様のケーキを注文するようにされていることを特徴とするオンラインケーキ受注システム（Ｂ）。
ケーキ受注システム（Ａ）又は（Ｂ）において、トッピングに加えて、ケーキに添付するカード若しくは板チョコ又はケーキの所望の位置などに記入するために、発注者が所望に入力した文字又は図形をさらに表示するようにされていることを特徴とするオンラインケーキ受注システム（Ｃ）。
ネットワークを介して接続された発注者側端末より所望のケーキを受注するためのオンラインケーキ受注方法において、ケーキのトッピングを選択する画面上において、ケーキの出来上がりの状態を確認しつつトッピングの種類と個数と配置を発注者が所望に決定できるように、トッピングを施す前のケーキ画像、及び発注者が選択できるトッピングの種類を示す画像を発注者に表示するトッピング前表示ステップと、発注者がトッピングの種類を選択した後において、そのトッピングを発注者が移動させてケーキ画像上の所望の位置に配置した状態を示す画像を発注者に表示するトッピング後表示ステップと、発注者がトッピングを決定した後に発注者の注文データを受信して記録する受信記録ステップとを備えていることを特徴とするオンラインケーキ受注方法（Ｄ）。
ネットワークを介して接続された発注者側端末より所望のケーキを受注するためのオンラインケーキ受注方法において、ケーキの大きさ、クリームの種類又は内部にサンドするフルーツを選択する画面を発注者に表示する表示ステップと、ケーキのトッピングを選択する画面上において、ケーキの出来上がりの状態を確認しつつトッピングの種類と個数と配置を発注者が所望に決定可能とするために決定ステップとを備えており、該決定ステップは、トッピングを施す前のケーキ画像、及び発注者が選択できるトッピングの種類を示す画像を発注者に表示するトッピング前表示ステップと、発注者がトッピングの種類を選択した後において、そのトッピングを発注者が移動させてケーキ画像上の所望の位置に配置した状態を示す画像を発注者に表示するトッピング後表示ステップと、発注者がトッピングを決定した後に発注者の注文データを受信して記録する受信記録ステップとによって構成されており、発注者が希望する独自仕様のケーキを注文できるようにしたことを特徴とするオンラインケーキ受注方法（Ｅ）。
オンラインケーキ受注方法（Ｄ）又は（Ｅ）において、トッピングに加えて、ケーキに添付するカード若しくは板チョコ又はケーキの所望の位置などに記入するために、発注者が所望に入力した文字又は図形をさらに表示する文字等情報表示ステップを有することを特徴とするオンラインケーキ受注方法（Ｆ）。
【００２５】
【発明の効果】
請求項に記載のオンラインケーキ受注システムによれば、発注者の希望する独自仕様のケーキを出来上がりの状態を確認しながら簡単に注文できるばかりか、ケーキを画面上で完成させるゲームのような楽しさを味わうことができるという優れた独自の効果を奏する。
【図面の簡単な説明】
【図１】本発明の一実施例であるオンラインケーキ受注システムの概略図である。
【図２】上記実施例のオンラインケーキ受注システムにおける発注者側ＰＣの表示画面（ケーキ台選択画面）を示す図である。
【図３】上記実施例のオンラインケーキ受注システムにおける発注者側ＰＣの表示画面（トッピング選択前画面）を示す図である。
【図４】上記実施例のオンラインケーキ受注システムにおける発注者側ＰＣの表示画面（トッピング選択後画面）を示す図である。
【図５】上記実施例のオンラインケーキ受注システムにおける発注者側ＰＣの表示画面（発注者情報入力画面）を示す図である。
【図６】第２実施例のオンラインケーキ受注システムにおける発注者側ＰＣの表示画面（発注者情報入力画面）を示す図である。
【図７】第３実施例のオンラインケーキ受注システムにおける発注者側ＰＣの表示画面（選択後修正入力画面）を示す図である。
【図８】第４実施例のオンラインケーキ受注システムにおける発注者側ＰＣの表示画面（トッピング選択画面）を示す図である。
【図９】第５実施例のオンラインケーキ受注システムにおける発注者側ＰＣの表示画面（発注者情報入力画面）を示す図である。
【符号の説明】
１０      受注者側ＰＣ（オンラインケーキ受注システム）
２０      発注者側ＰＣ
２１      発注者Ａ側ＰＣ
２１ａ    表示装置
２１ｂ    画面
２２      発注者Ｂ側ＰＣ
２３      発注者Ｃ側ＰＣ
３０      工場側ＰＣ
５０      ネットワーク
１０１    ケーキ画像
１０１ａ  ケーキ画像（三次元的）
１０２    トッピング画像
１０２ａ  トッピング画像（三次元的）
１０３    ポインティングデバイス
１０３ａ  トッピング位置修正ポインティングデバイス
１０３ｂ  文字等情報修正・入力ポインティングデバイス
１０４    文字等情報入力欄
１０５    金額表示欄
１０６    回転ゾーン
【図１】
2004234439.tif 000003
【図２】
2004234439.tif 000004
【図３】
2004234439.tif 000005
【図４】
2004234439.tif 000006
【図５】
2004234439.tif 000007
【図６】
2004234439.tif 000008
【図７】
2004234439.tif 000009
【図８】
2004234439.tif 000010
【図９】
2004234439.tif 000011